Podtech/llm-jp-corpus-v4-ja_patent huggingface dataset:
(57)【特許請求の範囲】
【請求項１】
骨抜きした骨抜きのカットを提供する工程；
前記骨なしのカットを保存処理の前に機械的伸長又は再吊り下げによって再成形する工程；
該カット及び骨を別々に保存処理する工程；
結合を用い、この保存処理された骨を該カットの外側で結合させる工程；及び
この結合したカットを調理する工程；
を包含することを特徴とする加工食肉の製造方法。
【請求項２】
保存処理された前記骨が前記カットを提供した家畜とは異なる家畜に由来する請求項１記載の加工食肉の製造方法。
【請求項３】
前記保存処理が前記カットと前記骨との間で異なる請求項１又は２記載の加工食肉の製造方法。
【請求項４】
前記結合が天然又は合成のケーシング若しくはフィルム、ネット又はクロスから選択された調理用結合である請求項１乃至３のいずれか１項記載の加工食肉の製造方法。
【請求項５】
前記調理がスモークからなる請求項１乃至４のいずれか１項記載の加工食肉の製造方法。
【請求項６】
保存処理された骨をカットの外側で結合させる工程において、食物の酸を添加する請求項１乃至５のいずれか１項記載の加工食肉の製造方法。
【請求項７】
前記食物の酸が香味賦形剤からなる請求項６記載の加工食肉の製造方法。
【請求項８】
前記賦形剤が果汁又はクーリから選択される請求項７記載の加工食肉の製造方法。
【請求項９】
請求項１乃至８のいずれか１項記載の方法によって生成される加工食肉製品。
【発明の詳細な説明】
【技術分野】
【０００１】
本発明は加工食肉の製造方法及び加工食肉製品に関する。
【０００２】
本発明は調理したハムの製造に対して特別な適用を有する。本発明は、本出願を参照し、本明細書において以下に開示される。しかし、本発明がベーコン及び他のスモークした食肉又は保存処理した食肉のような他の加工食肉の製造において適用を見出し得ることは、当業者に理解される。
【０００３】
通常、骨付きのもも肉のハムは、骨なしのハム（ボンレスハム）よりも優れた製品であると考えられている。骨なしのハム及び他の保存処理されたカットの製造において、塩水に漬け、かつ保存処理した食肉は、骨抜きされる。そして、得られたカットは、通常、ポリマー若しくはネットの調理用ラップ又はハム等のための煙透過性の調理用ラップにより包装される。その製品は、必要に応じて、蒸し調理され、調理のためにスモークされるか、又はスモークとそれに続く調理用パッケージ内における加熱調理とによって部分的に調理される。得られた製品は、骨付きの製品よりも切り分けが比較的容易であり、そして廃棄物が少ないということで市場に評価されている。
【発明の開示】
【発明が解決しようとする課題】
【０００４】
しかし、骨なしの製品は食味が劣ると思われている。骨抜きのハムの香味は骨付きのハムの香味よりも品質が劣るというのがほとんど永続的な市場の印象である。
【課題を解決するための手段】
【０００５】
一つの局面において、本発明は加工食肉の製造方法に広範に存在し、この方法は以下の工程を包含する：
骨抜きした骨抜きのカットを提供する工程；
前記骨なしのカットを保存処理の前に機械的伸長又は再吊り下げによって再成形する工程；
該カット及び骨を別々に保存処理する工程；
結合を用い、この保存処理された骨を該カットの外側で結合させる工程；及び
この結合したカットを調理する工程。
【０００６】
従来の知識は、骨を通じた香味の発生及び熱的な移動に関し、骨付きのハムの優れた香味が保存処理及び調理プロセスの全体にわたった骨から肉への組織結合の密接性によると断定されるものであった。この従来の知識に反し、驚くべきことに、本質的に同じ品質及び香味が本発明に従うプロセスによって生成され得るということが確認された。
【０００７】
カットは骨抜きされることが必要な任意の食肉のカットであり得る。骨はそのカットに由来するものであってもよいし、同じ又は別の家畜のいずれか他の場所に由来してもよい。
【０００８】
骨なしのカットは保存処理の前に機械的伸長又は再吊り下げによって再成形される。ハム等の場合、骨が除去される時には、保存処理されていないハム又は保存処理されたハムは、有利に再吊り下げか、さもなければ伸長され得る。そのハムの筋肉は、ハムの骨がなく、その筋肉の形状を支持するための関連する腱もないため、容易に引き伸ばされ得る。この吊り下げ又は伸長によって、その製品の外観よりも大きい、長い及び／又はより流線型の外観が得られる。
【０００９】
保存処理は、硝石又は他の保存処理の賦形剤があってもなくてもよく、塩水付け又は酸付け、糖保存等を含むが、これに限定されない任意の適切な保存処理であり得る。保存処理はカットと骨又は骨代用物との間において同じであっても異なってもよい。好ましくは、少なくともカットのための保存処理は、カットを保存処理するために従来用いた保存処理から選択される。
【００１２】
結合は、少なくとも一部が調理プロセスによって決定された任意の適切な手段によるものであってもよい。この結合は従来の調理用結合から有利に選択される。例えば、この結合は、天然又は合成のケーシング若しくはフィルム、ネット若しくはクロスによる手段であってもよい。
【００１３】
調理は、一つ以上のスモーク、ロースト、蒸し加熱又は煮込み等の加熱調理による手段であってもよい。
【００１５】
肉と骨との間の接触の密接性は、骨強化香料の有効成分の拡散を強化するように選択された物質の添加によって補われてもよい。例えば、骨及び／又はカットは、食物の酸等を用いて処理されてもよい。また、この添加物は、果汁、クーリ等の香味賦形剤を含有するか、又は香味賦形剤からなってもよい。
【００１９】
なおさらなる局面において、本発明は本発明の前述の方法のいずれか一つによって製造された場合、加工食肉製品に広範に存在する。
【発明を実施するための最良の形態】
【００２０】
本発明は、以下の実施例に従って、本発明の好ましい実施形態を参照してさらに記載される。
【実施例】
【００２１】
加工に関して三つのハムを選択した。二つを骨抜きし、そして一つは骨を残した。これらの三つのハム及び切り出した骨を従来の様式で塩水及び硝石に漬けた。この塩漬け溶液に糖及びパイナップル果汁を補充した。
【００２２】
保存処理した骨をハムのうち一つの肉と密接に接触させてカット中の切り出しスリットに隣接して置き、そのカット全体を調理用弾性ネッティングで保護した。第二の骨抜きのハム及び骨付きのハムをネッティング中で同様に結合させ、ネッティングの原因による調理におけるあらゆるばらつきを排除した。次いで、それぞれのカットを従来の様式で調理状態まで等しくスモークした。
【００２３】
盲検試験において、骨なしの製品を統計的に有意な割合の味覚鑑定者によってそのままで食べさせたところ、骨付きのハム及び本発明によるハムは、味覚鑑定者の大部分によって骨付きのハムであると判定が下され、二つの製品の間に評価の統計的に有意なばらつきはなかった。
【００２４】
上記の内容は本発明の例示的な例として示されたものであるが、全てのこのような及び他の改変並びにそれに対するバリエーションが当業者に明白であるように、本明細書に添付の特許請求の範囲に規定される本発明の広範な範囲及び領域内に収まると思われることは、当然ながら理解される。
(57)【特許請求の範囲】
【請求項１】
ベルト操作により画びょうが画びょう取り部（５）とガイドベルトの間から出た瞬間に画びょう打ち込み部の磁石にくっつき保持され、親指で打ち込みボタンを押しながら、楽に画びょうを壁に打ち込む装置を持つ画びょう取り打ち込み器
【請求項２】
画びょう収納マガジンがガイドレ−ルの役割もはたし画びょうがいっぱいになったらマガジンのスイッチ（１３）を中央にスライドさせるとマガジン本体（１２）が閉じて画びょうを針の部分ではさみ込み、同時にマガジン横のつめ（２０）によりスイッチ（１３）が脱落するのを防止する構造を持つ画びょう取り打ち込み器
【発明の詳細な説明】
【０００１】
［発明の属する技術分野］
この発明は画びょうの取り込み、保管、打ち込みを１台ででき、更に、画びょう取り部と打ち込み部を同一箇所とした器具である
【０００２】
［従来の技術］
今までは画びょう取りで取った画びょうを不規則に箱に収納し、打ち込みは蓋を開けて手で打つので指や手を傷つける事が多く、能率も悪かった。
【０００３】
［発明が解決しようとする課題］
従来は次の様な欠点があった
イ、画びょうを取ってもそれをすぐ使う時、画びょう取りの蓋を開けて画びょうを取り出すので手間がかかる。
ロ、画びょうを指で取る時、指にささる事がある。
ハ、ポスターを貼る時画びょう打つ方の手と反対の手に画びょうを持ちながらポスターを固定しなければならないので不安定かつ、能率的でない。
ニ、箱から画びょうを落としやすい。
ホ、ポスターを貼るごとに箱から画びょうを出さねばならない。
【０００４】
［課題を解決するための手段］
前記問題を解決するため、本発明においては画びょう取りに連続した２本のガイドレール（６）で画びょうの針の部分をはさむ様にし、ゴムガイドベルト（２）とガイドレール（６）で画びょうをはさみ込んで画びょう取り部（５）からマガジン部（１２）まで画びょうをスムーズに移動させ、画びょう取り部（５）から出てきた画びょうを打ち込み部の磁石につけて保持しながら打ち込むので画びょうにさわることなしに打ち込み、取り込みができる様にした
【０００５】
［発明の実施の形態］
発明の実施の形態を実施例に基づき、図面を参照して説明する。
図１において画びょう取り部（５）から入った画びょうは次に取り込んだ画びょうにより次々とおされてガイドレール（６）に沿って折り返しを通り、上面のマガジン部（１２）に来る、画びょうが満となったらマガジンスイッチ（１３）を真ん中にスライドさせると、マガジン内の画びょうを画びょう保持ゴム（１９）ではさんで保持し、かつマガジンのひれ（２０）によりスイッチ（１３）が脱落するのを防ぎ本体のひれ、（２４）からスイッチ（１３）がはなれるのでマガジンを取り出すことができる。
【０００６】
図６に於てマガジンを入れるときはマガジン投入口（２３）からマガジンの開く側を（１６）の側から入れマガジンの蝶番部を（１７）の側にセットしてマガジンスイッチ（１３）を（１７）の側にスライドさせるとマガジンスプリング（２１）によりマガジンが開いて更に本体のひれ（２４）によりマガジンが固定される。
【０００７】
図１に於て
ガイドゴムベルト（２）は中に  を入れて伸びない様にして更にじゅうなん性をもたせ、画びょうをしっかり保持するためにベルトの画びょう側にゴムのひれを規則正しく配列することにより画びょうを安定して送り、出しすることが出来る。
【０００８】
図１に於て
送り返し部のベルト保持ローラー（１１）は画びょうを滑らかに送る為直径は４（ｃｍ）以上が好ましい。
【０００９】
図１に於て
ガイドレール（６）は傷のつきにくに金属のものがよい。
【００１０】
図１に於て
ベルト保持ローラー（３）、（１１）及びベルト押さえローラー（４）の軸受はローラーが滑らかに回転する様にまさつの少ない軸受とする。
【００１１】
図１に於て
ガイドレールは画びょうをしっかり保持する為に本体中央に向けて少し湾曲させる。
【００１２】
図１１に於て
画びょう打ち込み部の磁石は永久磁石で強い磁力の物を使用し、（３）のローラー部に接近して設置し、画びょう取り部（５）のすり面と磁石（１）のなす角度を少なくすると画びょうがきれいに磁石（１）の表面につくが角度が少ないと画びょうを取るときに取りにくくなるので図１の角度が丁度よい、又、磁石（１）の表面に画びょうのつきを安定させる為、画びょうわく（２８）を取り付ける
【００１３】
図８に於て
画びょう打ち込み時は図８（ａ）の様にベルトをベルト操作部（２５）で手前に引くと画びょうが出てきて、（ｂ）の様に画びょうが離れた目間に打ち込み部の磁石にくっつく、その後（ｃ）の様に打ち込みボタン（７）を押しながら壁に画びょうを打ち込む、その後同じ動作をくり返して連続的に画びょうを打ち込む。
【００１４】
図７に於て
図７は画びょうマガジンで（２１）はマガジンを開く為のスプリングで（１３）はマガジンで画びょうをはさむ為の物、（２０）はスイッチ（１３）がマガジン本体（１２）から脱落するのを防止する物、（１９）は画びょうをはさんで落とさない為のゴムである
【００１５】
図４、と図５は本体での画びょうの様子を表した物である
【図面の簡単な説明】
【図１】画びょう取り、打ち込み、保管器具の縦断面図である。
【図２】画びょう取り、打ち込み、保管器具の横から見た図である。
【図３】画びょう取り、打ち込み保管器具の上から見た図である。
【図４】画びょう取り、打ち込み保管器具の本体内での画びょうの様子を表わしたものである。
【図５】画びょう取り、打ち込み保管器具の折り返し部分からマガジン部を見た図である
【図６】画びょう取り、打ち込み、保管器具のマガジン部の様子を表わした図である。
【図７】マガジン本体を表わした図である。
【図８】画びょう打ち込み時の操作を表わした図である。
【符号の説明】
１、画びょう保持、打ち込み用磁石、
２、ガイドゴムベルト
３、ベルト保持ローラー（打ち込み、取り部）
４、ベルト押さえローラー
５、画びょう取り部
６、画びょうガイドレール
７、画びょう打ち込みボタン
８、打ち込みボタン戻しスプリング
９、ベルト押さえ板
１０、本体枠
１１、ベルト保持ローラー（折り返し部）
１２、マガジン本体
１３、マガジンスイッチ
１４、打ち込みボタン保持部
１５、スプリング押さえ
１６、マガジン押さえ
１７、マガジンささえ
１８、マガジン蝶番
１９、画びょう固定用ゴム
２０、スイッチ固定用ひれ
２１、マガジンスプリング
２２、蝶番軸
２３、マガジン投入口
２４、マガジン固定用ひれ
２５、ベルト操作部
２８、画びょう安定用枠、
【図１】
0004626091.tif 000002
【図２】
0004626091.tif 000003
【図３】
0004626091.tif 000004
【図４】
0004626091.tif 000005
【図５】
0004626091.tif 000006
【図６】
0004626091.tif 000007
【図７】
0004626091.tif 000008
【図８】
0004626091.tif 000009
(57)【特許請求の範囲】
【請求項１】
地震検知手段および双方向の通信手段を有する複数のガス保安装置と、前記ガス保安装置との間をネットワーク構築して任意のガス保安装置と双方向通信を可能にした保安センタとで成るシステムであって、
前記ガス保安装置は、前記地震検知手段で所定の振動を検知すると前記通信手段を通じて地震情報を前記保安センタに送信し、
前記保安センタは、地震情報を受信した場合、地震を検知して地震情報を送信したガス保安装置以外の複数のガス保安装置に対し地震情報を要求し、前記要求に対して受信された複数の地震情報に同一性がある場合は、ネットワーク上の全ての前記ガス保安装置に対し遮断信号を返信し、個々のガス通路を遮断させると共に、前記複数の地震情報に同一性が無い場合、地震を検知して地震情報を送信した前記ガス保安装置に遮断不要の信号を返信するガス保安システム。
【請求項２】
前記保安センタからの遮断信号を受信した前記ガス保安装置は、ガス流量の検出がある場合のみ遮断動作をするようにした請求項１記載のガス保安システム。
【請求項３】
前記保安センタは、受信した地震情報に対し遮断が必要か、または遮断が不要かの何れかの旨を必ず地震を検知して地震情報を送信した前記ガス保安装置に返信するシステムとし、地震を検知して地震情報を送信した前記ガス保安装置は所定の時間内に前記保安センタからの返信がなければ自ら検知した地震情報に従って遮断動作を行うようにした請求項１又は２記載のガス保安システム。
【発明の詳細な説明】
【０００１】
【発明の属する技術分野】
本発明はガス供給路に使用するガス保安装置のガス保安システムに関するものである。
【０００２】
【従来の技術】
近年、都市ガスやＬＰガスが安全に使用されることを目的として、燃料ガス（以下、ガスという）の使用量を計測して異常に使用量が増えた場合や、通常の使用状態と大きく掛け離れた時間使用されていることを検知すると、ガス通路を遮断する保安装置が普及している。
【０００３】
この種の保安装置は、ガス流量の検出信号を保安制御回路に取り込み、内部のマイクロコンピュータで処理してガス流量を監視し、異常があれば遮断信号を出力し、遮断弁を閉止する。
【０００４】
更なる保安性向上の要求から、振動センサを搭載して地震検知を行い、所定の震度を超えると動作する地震遮断機能を付加することが多い。
【０００５】
【発明が解決しようとする課題】
振動センサの出力信号パターンで地震判別を行い、衝撃印加等の不要振動での誤遮断防止の措置が施されるが、保安装置の設置条件によっては誤遮断する場合があり、地震振動は確実に捕らえるが不要振動は検知しないという相反する性能が要求されていた。
【０００６】
【課題を解決するための手段】
本発明は上記課題を解決するために、双方向の通信手段を有する複数のガス保安装置と、前記ガス保安装置と保安センタの間をネットワーク構築し、前記ガス保安装置のいずれにも任意に双方向通信を可能にした保安センタと、地震情報が上がってきた場合、保安センタは他の複数のガス保安装置に対し地震情報を要求し、複数の地震情報に同一性がある場合は、ネットワーク上の全てのガス保安装置に対し遮断信号を返信し、各々のガス保安装置を遮断させるものであり、真の地震情報か否かを判断し誤遮断を回避している。
【０００７】
【発明の実施の形態】
請求項１記載の発明は、保安センタに地震情報が上がってきた場合、保安センタは発信元周辺の複数のガス保安装置の地震情報を参照し、地域、時刻に同一性がある場合にのみ地震と判定し、単独の衝撃印加による振動情報と区別する。
【０００８】
請求項２記載の発明は、ガス不使用時には遮断を必要としないので、個々のガス保安装置の流量信号の有無で判定して個々に遮断を決める。
【０００９】
請求項３記載の発明は、通信手段の故障による不遮断の危険性を回避するため、所定の時間内に返信がなければ通信異常と判定して、自らの地震情報に基づいてガス保安装置の単独遮断を優先させる。
【００１０】
【実施例】
以下、本発明の実施例について図面を用いて説明する。
【００１１】
（実施例１）
図１は本発明の実施例１のガス保安システムのブロック図で、あるガス保安装置Ａに内蔵する地震検知手段１が所定の振動を検知すると通信手段２を通じて地震情報をネットワーク３に発信する。
【００１２】
保安センタ４の通信手段２がネットワーク３上の地震情報を受信すると情報処理装置６が、予め決めた地域組みに従い、通信手段２を通じて他の周辺の複数のガス保安装置Ｂ〜Ｎに地震情報を要求する。
【００１３】
要求に応じて発信された地震情報がガス保安装置Ａに限定していれば単独の衝撃振動と判定し遮断信号は返信せず、ガス保安装置Ａ〜Ｎの地震情報に地域、時刻に同一性がある場合は地震と判定して遮断信号を一括してネットワーク３上に返信する。
【００１４】
そしてガス保安システムの一例としては安全性を最優先し、ネットワーク下のガス保安装置は前記遮断信号で全て即遮断動作を行う。
【００１５】
また、ネットワーク下のガス保安装置の内、自らのガス流量の検出がある物のみ遮断動作をする。
【００１６】
また、地震情報がガス保安装置Ａに限定していれば遮断不要の信号をガス保安装置Ａのみに返信し、ガス保安装置Ａ〜Ｎの地震情報に地域、時刻に同一性がある場合は地震と判定して遮断信号を一括してネットワークア３上に返信する。ガス保安装置Ａは遮断信号を受信すれば、遮断動作を行うが、所定の時間内に保安センタから返信がない場合も自らの地震情報に従って遮断動作を行い、通信手段の故障による不遮断の危険性を回避する。
【００１７】
【発明の効果】
（１）以上のように本発明によれば、地震情報と衝撃による振動情報が区別でき、不要振動による誤遮断が回避できるので、保安性を損なわずに利便性が確保される。
【００１８】
（２）ガス不使用時のガス保安装置は遮断動作をしないので、遮断復帰の際の安全確認対象台数が少なくなり、復旧作業がはかどる。
【００１９】
（３）地震で通信線が切断された場合には自らの地震情報に基づき遮断するので、安全性が損なわれることがないという優れた効果を発揮する。
【図面の簡単な説明】
【図１】本発明の実施例１におけるガス保安システムの構成図
【符号の説明】
１  地震検知手段
２  通信手段
３  ネットワーク
４  保安センタ
Ａ〜Ｎ  複数のガス保安装置
【図１】
0004626011.tif 000002
(57)【特許請求の範囲】
【請求項１】
中央に差込穴を設けたベースと、前記ベースに差し込む下部突起を有する支柱と、前記支柱に設けた上部突起を差込む差込穴を有する帽子受と、前記帽子受には任意の帽子のつばの形状に合わせたつば受を設けた帽子収納具兼用乾燥具。
【発明の詳細な説明】
【０００１】
【発明の属する技術分野】
本発明は、帽子の形状に合わせ形を変形させずに帽子を複数個収納することが出来、洗濯後帽子の形を崩さずに乾燥させることが出来る帽子収納具兼用乾燥具に関するものである。
【０００２】
【従来の技術】
従来帽子を１個づつ収納するものがあった。複数の帽子を収納するときは形が違っていてもそのままの状態で重ねて収納していた。洗濯した場合、通常の洗濯干しの洗濯挟みに挟んで乾燥させていた。
【０００３】
【発明が解決しようとする課題】
これには次のような欠点があった。
（イ）１個づつ収納すると嵩張り、かなりのスペースを必要としていた。
（ロ）形の違うものを重ねて収納すると変形することが多い。
（ハ）洗濯した場合、通常使用している洗濯干しで乾燥すると変形することが多い。
（ニ）洗濯干しを使用すると、洗濯挟みのあとがつき困っていた。
本発明は、以上の欠点を解決するものである。
【０００４】
【課題を解決するための手段】
ベース中央に差込穴を設け、前記ベースの差込穴に差込む下部突起を有する支柱を設ける。
前記支柱に、支柱の上の位置に設けた帽子受に差込む上部突起を設ける。
前記上部突起を差込む差込穴を有する前記帽子受を設ける。
前記帽子受には、任意の帽子のつばの形状に合わせたつば受を設ける。
本発明は、以上の構成よりなる帽子収納具兼用乾燥具である。
【０００５】
【発明の実施の形態】
以下、発明の実施の形態について説明する。
図１に示すように、ベース（１）は円盤状でこのベース（１）の中央に差込穴が設けられている。
図３に示すように、前期ベース（１）の差込穴に差込む下部突起（２）を有する支柱（４）を設け、前記支柱（４）はベース中央から上方に設けられている。
支柱上面は上部突起（３）を有し、前記上部突起（３）は、支柱の上の位置に設けられている差込穴を有する帽子受（５）に差込む。
図３、図４、図６、図７に示すように、前記帽子受（５）に任意の帽子のつばの形状に合わせたつば受（６）と（７）を設ける。
本発明は以上のような構造で、これを使用するときは以下のように使用する。
図５に示すように、任意の帽子のつばが比較的狭く深いもの（８）に使用し、同形状の帽子を複数個重ね収納する。
図６に示すように、図５の上方からつば受（６）を装着し任意の帽子のつばが比較的広く浅いもの（８ａ）に使用し、同形状の帽子を複数個重ね収納する。
図７に示すように、図６の上方からつば受（７）を装着しつばが平らなもの（８ｂ）に使用し、同形状の帽子を複数個重ね収納する。
帽子の収納数が多い場合は、図８に示すように、支柱を取りはずし用具を低くすることにより嵩張らず安定した状態で収納出来る。
帽子を洗濯してこれを干す目的で使用する場合は極力帽子の形状に合わせ、又帽子との接触面をメッシュ等の構造にして乾燥具として本発明を使用することも可能である。
【０００６】
【発明の効果】
昨今は、紫外線、花粉の予防対策も重要な上、スポーツやレジャーに帽子は必需品になっており販売数も格段と増加し形においても多種多様である。
個人の所有数も多くなり帽子を整理し又洗濯して収納する必要性が生じているが、本発明を使用することでかなりの数量変形することなく収納可能で、煩雑になりがちな帽子の整理を解決するものである。
又、形を崩さず乾燥可能なので自宅で洗濯出来、衛生上、経済上有益である。
機能性とともに、帽子の装飾性も考慮し、形に合わせ収納したり、洗濯した場合形を崩さず乾燥する効果をもたらすものである。
【図面の簡単な説明】
【図１】本発明の斜視図である。
【図２】本発明の断面図である。
【図３】本発明の全体分解図である。
【図４】本発明のつば受のその他の実施例である。
【図５】本発明の第一使用図である。
【図６】本発明の第二使用図である。
【図７】本発明の第三使用図である。
【図８】本発明の第四使用図である。
【符号の説明】
１  ベース
２  下部突起
３  上部突起
４  支柱
５  帽子受
６  つば受
７  つば受
８  帽子
８ａ帽子
８ｂ帽子
【図１】
0004843892.tif 000002
【図２】
0004843892.tif 000003
【図３】
0004843892.tif 000004
【図４】
0004843892.tif 000005
【図５】
0004843892.tif 000006
【図６】
0004843892.tif 000007
【図７】
0004843892.tif 000008
【図８】
0004843892.tif 000009
(57)【特許請求の範囲】
【請求項１】
多数羽根で構成されたクロスフローファンの側面の板を覆う円筒形状と、前記円筒形状の下部に位置し上部が開口した略箱型形状をなす前面熱交換器用水受け皿とで構成された空気調和機の凝縮水処理装置において、前記円筒形状の外周壁部は前記水受け皿の内部に差し掛からないように設けたことを特徴とする空気調和機の凝縮水処理装置。
【発明の詳細な説明】
【０００１】
【発明の属する技術分野】
本発明は、空気調和機の凝縮水処理装置に関するものである。
【０００２】
【従来の技術】
室内の空気を冷房する空気調和機は、図１２のように、冷媒の気化熱によって熱交換を行う前面熱交換器１および、背面熱交換器２と、熱交換され冷やされた空気を送り出す、多数羽根によって構成されたクロスフローファン３と、クロスフローファン３によって送り出された空気を吹出し口４から放出するケーシング５とで構成されている。
【０００３】
さらに、冷房運転時、室内空気が湿っている場合、前面熱交換器１と背面熱交換器２によって、凝縮水が発生するため、それらを受ける前面熱交換器用水受け皿６及び、背面熱交換器用水受け皿７、水受け皿で受けた凝縮水を室外へ放出するドレンホースで構成する必要がある。
【０００４】
この空気調和機は、図１３、図１４に示すように、背面熱交換器用水受け皿７で受けた凝縮水８を クロスフローファン３の軸を覆う円筒形状１３の上部を通過して、前面熱交換器用水受け皿６へ流し込む構成をとっている。
【０００５】
この構成によると、クロスフローファン３の側面の板を覆う円筒形状１２、クロスフローファン３の軸を覆う円筒形状１３及び、円筒形状１２と円筒形状１３とを結ぶ円盤状の
平面１４の内側に凝縮水が発生する。
【０００６】
そして、この凝縮水は何らかの対策を取らない場合、ケーシング５を伝い、吹出し口４から飛散することになる。
【０００７】
この対策として、従来、ファンケース１２の下部に、図１４で示す様に、吸水性の不織布１５等を貼付け、凝縮水を吸水させていた。
【０００８】
【発明が解決しようとする課題】
従来の技術で述べた様に、ファンケース１２の下部に、吸水性の不織布１５等を貼付け、凝縮水を吸水させる方法では、断続的に運転する場合、運転していない間に、乾燥し、運転再開後、吸水が可能である。
【０００９】
しかし、連続運転では、不織布１５等の吸水量を超え、凝縮水はケーシング５へ落下してしまう。
【００１０】
【課題を解決するための手段】
上記課題を解決するために本発明は、多数羽根で構成されたクロスフローファンの側面の板を覆う円筒形状を、前面熱交換器用水受け皿上部で切り落とすことで、円筒形状に結露した凝縮水を前記水受けへ導くものである。
【００１１】
【発明実施の形態】
請求項１に記載の本発明は、多数羽根で構成されたクロスフローファンの側面の板を覆う円筒形状を、前面熱交換器用水受け皿上部で切り落とすものであり、この構成によれば、円筒形状に結露した凝縮水を前記水受けへ導くことが出来る。
【００１２】
次に、本発明の実施の形態について、図面を参照しつつ詳細に説明する。
（実施の形態１）
図１、図２は、本発明の実施の形態１を説明するための図であり、多数羽根で構成されたクロスフローファンの側面の板を覆う円筒形状１２を、前面熱交換器用水受け皿６上部で切り落とすものである。
【００１３】
この構成によれば、凝縮水８により冷却されることにより円筒形状１２に発生した凝縮水のうち、右半分の凝縮水を前記水受け６へ導くことが出来る。
【００１４】
この構成によれば、円筒形状１３に凝縮水が大量に発生してこぼれ落ちようとしても凸形状１６に添うことで、前面熱交換器用水受け皿６へ流し込むことができる。
（実施の形態３）
また、図６〜図８は、本発明第三の実施形態を説明するための図であり、多数羽根で構成されたクロスフローファンの軸を覆う円筒形状１３の最下部から、前面熱交換器用水受け皿６上部までを直線状に結ぶ凸形状１６の上に凹形状１７を取り付けるものである。
【００１５】
この構成によれば、円筒形状１３に発生した凝縮水を凸形状１６に添わせるとともに、凹形状１７の溝幅を５ｍｍにすることにより、凝縮水が水滴状でも凹形状に添わせることができ、前面熱交換器用水受け皿６へ流し込む量を請求項２の形状より増加させることができる。
（実施の形態４）
また、図９〜図１１は、本発明の実施の形態４を説明するための図であり、円筒形状１３とを結ぶ円盤状の平面１４の下部を、図７の様に水受け皿６上部で折り曲げ、水受けの内部に挿入するものである。
【００１６】
この構成によれば、凸形状１６の下部の平面１４に凝縮する凝縮水を、平面に沿わせる事により水受け皿６へ導くことが出来る。
【００１７】
【発明の効果】
請求項１に記載の本発明は、多数羽根で構成されたクロスフローファンの側面の板を覆う円筒形状を、前面熱交換器用水受け皿上部で切り落とすものであり、円筒形状に発生した凝縮水を水受け皿へ流し込むことが出来る。この構成によれば、円筒形状に発生した凝縮水のうち半分を、水受け皿へ回収することができる。
【図面の簡単な説明】
【図１】  本発明の実施の形態１における空気調和機の要部側断面図
【図２】  図１のＢ−Ｂ断面図
【図３】  本発明の実施の形態２における空気調和機の要部側断面図
【図４】  図３のＢ−Ｂ断面図
【図５】  図４のＣ−Ｃ断面図
【図６】  本発明の実施の形態３における空気調和機の要部側断面図
【図７】  図６のＢ−Ｂ断面図
【図８】  図７のＣ−Ｃ断面図
【図９】  本発明の実施の形態４における空気調和機の要部側断面図
【図１０】  図９のＢ−Ｂ断面図
【図１１】  図１０のＣ−Ｃ断面図
【図１２】  従来の空気調和機室内機の構成図
【図１３】  同要部側断面図
【図１４】  図１３のＢ−Ｂ断面図
【符号の説明】
１  前面熱交換器
２  背面熱交換器
３  クロスフローファン
４  吹出し口
５  ケーシング
６  前面熱交換器用水受け皿
７  背面熱交換器用水受け皿
８  背面熱交換器の凝縮水
９  クロスフローファンの側面の板
１０  クロスフローファンの軸
１１  クロスフローファンの軸受け
１２  円筒形状
１３  円筒形状
１４  円盤状の平面
１５  不織布
１６  凸形状
１７  凹形状
【図１】
0004843891.tif 000002
【図２】
0004843891.tif 000003
【図３】
0004843891.tif 000004
【図４】
0004843891.tif 000005
【図５】
0004843891.tif 000006
【図６】
0004843891.tif 000007
【図７】
0004843891.tif 000008
【図８】
0004843891.tif 000009
【図９】
0004843891.tif 000010
【図１０】
0004843891.tif 000011
【図１１】
0004843891.tif 000012
【図１２】
0004843891.tif 000013
【図１３】
0004843891.tif 000014
【図１４】
0004843891.tif 000015
(57)【特許請求の範囲】
【請求項１】
性犯罪防止のための下着１であって
ブラジャー２と
前記ブラジャー２の下部に施錠可能な鎖６で繋げられたパンティー３と前記パンティー３の前部８と後部９にそれぞれ縫い込まれたゴムリングと、
前記ゴムリングに突設された鋭角な金属の突起１２とから構成され、挿入を不可能としたことを特徴とする下着。
【請求項２】
前記ゴムリングを塞ぐカバーを更に備え、通常の状態では金属突起を  カバーするよう構成されている、請求項１に記載の下着。
【発明の詳細な説明】
【技術分野】
【０００１】本発明は、性犯罪防止のための下着に関するものである。
【背景技術】
【０００２】従来の技術は、下着自体に付属品をつけることにより相手にあたかも行為をしたかのように誤解させるというだけのものである。
【先行技術文献】
【０００３】
【特許文献１】実開平６−６５４０５公報
【発明の概要】
【発明が解決しようとする課題】
【０００４】上記文献１では、下着を脱がされれば効果がないため、性犯罪に対して万全な備えをするためには、下着そのものを脱げない構造にする必要がある。
【課題を解決するための手段】
【０００５】ブラジャー２の下部先端４の金属板とパンティ３の上部５の金属板を合体し、その金属板に設けられた穴に強靭な装飾鎖６を通し施錠７をして脱げなくする。【０００６】本下着のパンティには、前部８後部９のゴムリングが本パンティに縫い込まれ、各ゴムリングには、鋭角な金属の突起１２が出ている。前部のリング８は、縦長で開口部の幅は狭く、挿入は不可能になっている。
用足し以外では、リングはゴム製のカバー１３で塞ぐことが出来る構造である。【０００７】装着した時の感じを上品にしたい時は、糸状の金属、ビーズ、革、布等を素材にした装飾品１４で上品に見せることも可能としている。
【発明の効果】
【０００８】本下着１は、ブラジャー２とパンティ３が一体となっており、接続部は開錠しないと切り離せない構造なので、パンティを脱がすことが出来ず、性犯罪の被害を受ける心配から解放される。
【図面の簡単な説明】
【０００９】
【図１】本発明下着の正面図
【図２】蝶の刺繍をあしらったブラジャーと胸飾りの装飾品
【図３】蝶の刺繍をあしらったパンティ
【図４】本発明下着を装着した図
【図５】ブラジャーとパンティの先端にある金属板が合体時の拡大図
【図６】その断面図
【図７】パンティに固定されたゴムリングの前後とフック穴の位置図
【図８】ゴムリングの前の部分とカバーの断面図
【図９】ゴムリングをカバーする装飾品
【図１０】装飾鎖
【図１１】本下着の背面図
【図１２】ロゴマークペンダント
【図１３】ブラジャーの上部先端の金具の拡大図
【符号の説明】
【００１０】  １  本発明下着の本体
２  蝶形の刺繍をあしらったブラジャー
３  蝶形の刺繍をあしらったパンティ
４  ブラジャーの下部先端にある穴開き金属板
５  パンティの上部先端にある穴開き金属板
６  装飾鎖
７  錠
８  ゴムリングをパンティに固定した前部
９  ゴムリングをパンティに固定した後部
１０  装飾品をかざす前部のフック穴
１１  装飾品をかざす後部のフック穴
１２  鋭角な金属突起
１３  ゴムリング前部のカバー
１４  フックにかける装飾品
１５  ロゴマークペンダント
１６  ブラジャー上部先端にある胸飾りを固定する金具の拡大図
１７  胸飾り
１８  ブラジャーのパット
【要約】
【課題】女性が性犯罪から身を守る為には、下着そのものに保護装置が必要であると同時に下着そのものを脱がすことが出来なくすることが必要である。
【解決手段】本下着はブラジャーとパンティに分かれているが、ブラジャーを固定している支柱は、強靭な素材で出来ており、保護装置が施されたパンティに金具で接続されている。
装着時には、そのブラジャーとパンティにある金属板を合体しその穴に強靭な装飾鎖を通し、施錠することにより脱ぐことは不可能になるとした。
【選択図】図１【図１】
0004843109.tif 000002
【図２】
0004843109.tif 000003
【図３】
0004843109.tif 000004
【図４】
0004843109.tif 000005
【図５】
0004843109.tif 000006
【図６】
0004843109.tif 000007
【図７】
0004843109.tif 000008
【図８】
0004843109.tif 000009
【図９】
0004843109.tif 000010
【図１０】
0004843109.tif 000011
【図１１】
0004843109.tif 000012
【図１２】
0004843109.tif 000013
【図１３】
0004843109.tif 000014
(57)【特許請求の範囲】
【請求項１】
トイレ使用者の身体の一部を支持するための支持部を壁部に設けたことを特徴とするトイレ使用者が立った状態で使用する乗物用個室トイレであって、
前記乗物用個室トイレは、便器が設置された正面壁部と、側壁部とを備え、
前記支持部が、前記乗物用個室トイレの前記側壁部に凹部または凸部として存在し、
前記凹部または凸部が、前記トイレ使用者の肩部ないし上腕部を支持することを特徴とする乗物用個室トイレ。
【発明の詳細な説明】
【技術分野】
【０００１】  本発明は個室トイレに関するものであり、詳しくは、排泄時に身体の安定性が保たれる個室トイレに関するものである。
【背景技術】
【０００２】  図４は、従来の鉄道用個室トイレ（男性用）を説明するための図である。図４に示される鉄道用個室トイレ４０は、一般的に鉄道用車両の一部に設置され、便器４１が設置された正面壁部４３と、側壁部４４，４５と、天井部４６と、床部４７と、入口部（図示せず）とから構成されている。便器４１の上方には、車両が震動しても便器４１に向かって適切な排泄行為を可能にするつかまり部材４２が設けられている。一般に、鉄道用個室トイレ４０は、トイレ使用者一人の身体がある程度の余裕をもってトイレ内に進入することができる省スペース型となっている。
なお、トイレ内に支持部材を設けた個室用トイレは、例えば下記特許文献１および２に開示されている。【０００３】
【特許文献１】  特開平１１−２９０２４６号公報
【特許文献２】  特開２００３−１９０８９号公報
【発明の開示】
【発明が解決しようとする課題】
【０００４】  しかしながら、従来の鉄道用個室トイレ４０は、車両の走行により大きく震動した場合、つかまり部材４２にトイレ使用者が片手つかまるだけでは、横あるいは縦方向の揺れに身体を固定することができず、便器に対する的確な排泄を行なうことができないという欠点がある。また、高齢者、妊婦、負傷者など、身体的ハンディキャップを有するトイレ使用者は、車両がそれほど震動しない場合でも排泄行為自体が困難である。
したがって本発明の目的は、排泄時に身体の安定性を良好に保つことのできる個室トイレを提供することである。
【課題を解決するための手段】
【０００５】  請求項１の発明は、トイレ使用者の身体の一部を支持するための支持部を壁部に設けたことを特徴とするトイレ使用者が立った状態で使用する乗物用個室トイレであって、
前記乗物用個室トイレは、便器が設置された正面壁部と、側壁部とを備え、
前記支持部が、前記乗物用個室トイレの前記側壁部に凹部または凸部として存在し、
前記凹部または凸部が、前記トイレ使用者の肩部ないし上腕部を支持することを特徴とする乗物用個室トイレである。
【発明の効果】
【０００６】  本発明によれば、排泄時に身体の安定性を良好に保つことのできる個室トイレが提供される。
【発明を実施するための最良の形態】
【０００７】  本発明の個室トイレは、トイレ使用者の身体の一部を支持するための支持部を壁部に設けたことを特徴としている。以下は、乗物用個室トイレを例にとり、図面を用いて本発明をさらに詳細に説明する。【０００８】  図１は、本発明の乗物用個室トイレの一例を説明するための図であり、鉄道用個室トイレを示している。図１に示される鉄道用個室トイレ１０は、便器１１が設置された正面壁部１３と、側壁部１４，１５と、天井部１６と、床部１７と、入口部（図示せず）とから構成されている。そして本発明の個室トイレ１０によれば、その一方の側壁部１４に支持部１８が設けられている。この支持部１８は、個室トイレ１０の側壁部１４に凸部として設けられている。なお、本発明の個室トイレでは、従来と同様につかまり部材１２を併設していてもよい。
支持部１８は、トイレ使用者の肩部ないし上腕部を支持するように設けられていることが好ましい。なお本発明でいう上腕部とは、身体の肘部から肩部における範囲をいう。【０００９】  図２は、トイレ使用者の肩部を支持している支持部１８を説明するための図である。
図２において、トイレ使用者２１は、その肩部２２を支持部１８における２つの凸部１８１，１８２の間に嵌め込むようにして固定している。これにより、トイレ使用者の両手が自由となり、便器１１に対する的確な排泄を行なうことができる。この肩部２２の固定により、通常の車両震動程度ではトイレ使用者２１の身体の固定が可能となる。なお、震動が非常に激しい場合は、肩部２２を支持部１８に固定するとともに、つかまり部材１２に片手でつかまることにより、一層身体を良好に固定することができる。
また、トイレ使用者が高齢者、妊婦、負傷者など、身体的ハンディキャップを有する場合も、前記のように肩部２２を支持部１８に嵌め込むだけで身体を良好に固定することができる。【００１０】  なお、図２の形態では支持部１８を２つの凸部１８１，１８２として説明したが、本発明はこれに限定されず、トイレ使用者の身体の固定が可能であれば、どのような形態であってもよい。例えば、図３に示したように、支持部１８を凹部１８３とし、そこにトイレ使用者の肩部ないし上腕部を支持させてもよい。【００１１】  また、前記の形態では本発明の個室トイレを鉄道用個室トイレ（男性用）として説明したが、本発明はこれに制限されない。例えば、船舶、飛行機、自動車等の男性用または女性用の個室トイレであってもよい。
【産業上の利用可能性】
【００１２】  本発明によれば、排泄時に身体の安定性を良好に保つことのできる個室トイレが提供される。
【図面の簡単な説明】
【図１】  本発明の乗物用個室トイレの一例を説明するための図である。
【図２】  トイレ使用者の肩部を支持している支持部を説明するための図である。
【図３】  本発明の乗物用個室トイレの別の例を説明するための図である。
【図４】  従来の鉄道用個室トイレ（男性用）を説明するための図である。
【符号の説明】
【００１３】  １０  鉄道用個室トイレ、１１  便器、１２  つかまり部材、１３  正面壁部、１４，１５  側壁部、１６  天井部、ｌ７  床部、１８  支持部、１８１，１８２  凸部、２１  トイレ使用者、２２  肩部、１８３  凹部。
【図１】
0004736322.tif 000002
【図２】
0004736322.tif 000003
【図３】
0004736322.tif 000004
【図４】
0004736322.tif 000005
(57)【特許請求の範囲】
【請求項１】
弁ケーシングで入口と弁室と出口を形成し、弁室と出口の間に弁室と出口を連通する弁口を設け、弁口を貫通して弁軸を配置し、弁口を出口側から開閉する弁体を弁軸に一体に設け、弁室内の弁軸の周りに感温部材を配置し、感温部材の変形作用で弁軸を軸方向に変位させて弁体で弁口を開閉するものにおいて、弁体の弁口とは反対側に外部から弁軸の軸方向に進退調節可能な操作部材を配置し、操作部材を押し込むことにより弁体を弁口に押し付けて弁口内部で閉弁時に弁体が接する部分に付着する異物を弁体で押し退けることを特徴とする温度応動弁。
【発明の詳細な説明】
【技術分野】
【０００１】
本発明は、被制御流体で加熱冷却され、その温度に応じて変形する感温部材により弁口を開閉する温度応動弁に関する。本発明の温度応動弁は所定温度以上あるいは以下の流体を系外に排出したり、複数の流体を混合して所定温度の流体にしたりする場合に用いられ、特に所定温度以下の復水を自動的に排出する温調トラップとして用いる場合に好適なものである。
【背景技術】
【０００２】
従来の温度応動弁は、弁ケーシングで入口と弁室と出口を形成し、弁室と出口の間に弁室と出口を連通する弁口を設け、弁口を貫通して弁軸を配置し、弁口を出口側から開閉する弁体を弁軸に一体に設け、弁室内の弁軸の周りに感温部材を配置し、感温部材の変形作用で弁軸を軸方向に変位させて弁体で弁口を開閉するものである。
【０００３】
上記従来の温度応動弁においては、弁体が離着座して開閉する弁口のシール面に流体中のゴミやスケール等の異物が付着すると、弁体が弁口を完全シールする全閉位置に変位できず、弁口に次第に異物が堆積して弁口が次第に狭められて排出流量の減少、ひいては弁口が詰まってしまうという問題点があった。
【特許文献１】特公昭６１−１２１５９号公報
【発明の開示】
【発明が解決しようとする課題】
【０００４】
解決しようとする課題は、弁口に異物が堆積しない温度応動弁を提供することである。
【課題を解決するための手段】
【０００５】
本発明は、弁ケーシングで入口と弁室と出口を形成し、弁室と出口の間に弁室と出口を連通する弁口を設け、弁口を貫通して弁軸を配置し、弁口を出口側から開閉する弁体を弁軸に一体に設け、弁室内の弁軸の周りに感温部材を配置し、感温部材の変形作用で弁軸を軸方向に変位させて弁体で弁口を開閉するものにおいて、弁体の弁口とは反対側に外部から弁軸の軸方向に進退調節可能な操作部材を配置し、操作部材を押し込むことにより弁体を弁口に押し付けて弁口内部で閉弁時に弁体が接する部分に付着する異物を弁体で押し退けることを特徴とする。
【発明の効果】
【０００６】
本発明は、弁口内部で閉弁時に弁体が接する部分に付着する異物を弁体で押し退けることにより、弁口に異物が堆積しないので、排出流量の減少や弁口が詰まってしまうことがないという優れた効果を生じる。
【発明を実施するための最良の形態】
【０００７】
本発明の温度応動弁は、弁体の弁口とは反対側に外部から弁軸の軸方向に進退調節可能な操作部材を配置し、操作部材を押し込むことにより弁体を弁口に押し付けて弁口内部で閉弁時に弁体が接する部分に付着する異物を弁体で押し退けるものである。すなわち、大きな力で弁体を弁口に押し付けて弁口内部で閉弁時に弁体が接する部分に付着する異物を弁体で押し退けることにより弁口に異物が堆積しない。
【実施例１】
【０００８】
上記の技術的手段の具体例を示す実施例を説明する（図１参照）。入口１と出口２を有する本体３に蓋４を締結して内部に弁室５を有する弁ケーシングを形成する。弁室５には入口１が通孔６を通して連通し、出口２が通孔７と弁口８と通孔９を通して連通する。通孔７と弁口８は本体３にねじ結合した弁座部材１０に形成する。弁室５内に入口１から流入する流体の流れ方向を規制し、流体中の異物を捕捉するスクリーン１１を配置する。弁口８を貫通して弁軸１２を配置する。弁軸１２の下端には弁口８を出口２側から開閉する円錐状の弁体１３を一体に設ける。
【０００９】
弁室５内の弁軸１２の周りで、弁軸１２の上部にねじ結合した座金１５の下端面と弁座部材１０の上端面の間に感温部材としてのバイメタル積層体１６を配置する。バイメタル積層体１６はバイメタルディスクを湾曲方向を変えて組み合わせた２枚で一対とし、それを複数対重ねたものである。本体３の下端に操作部材１７をＯリング１８を介して外部から弁軸１２の軸方向に進退調節可能に配置する。操作部材１７を押し上げて操作部材１７の上面を弁体１３の下面に当接させ、更に操作部材１７を押し上げて大きな力で弁体１３を弁口８に押し付けて弁口８内部で閉弁時に弁体が接する部分に付着する異物を弁体１３で押し退ける。
【００１０】
流体は入口１から通孔６を通って弁室５に入り、バイメタル積層体１６の周りを流れ、通孔７と弁口８から通孔９を通って出口２に流出する。バイメタル積層体１６は周囲の流体の温度が上昇して高温に加熱されると、各バイメタルディスクが湾曲してその度合が大きくなり積層方向に伸張する。これに伴い、弁軸１２が上方に変位し、次第に弁体１３が弁口８に近づいて弁口８の開度が小さくなり、終わりには弁体１３が弁口８を閉じる。弁室５の流体の温度が低下すれば、バイメタル積層体１６は湾曲力が小さくなり積層方向に収縮する。これに伴い、弁軸１２が下方に変位し、弁体１３が弁口８から離れて弁口８が開けられ、弁室５の流体が出口２に排出される。
【００１１】
操作部材１７を押し上げて操作部材１７の上面を弁体１３の下面に当接させ、更に操作部材１７を押し上げて大きな力で弁体１３を弁口８に押し付けて弁口８内部で閉弁時に弁体が接する部分に付着する異物を弁体１３で押し退ける。
【図面の簡単な説明】
【００１２】
【図１】本発明の温度応動弁の断面図。
【符号の説明】
【００１３】
１  入口
２  出口
３  本体
４  蓋
５  弁室
８  弁口
１０  弁座部材
１２  弁軸
１３  弁体
１６  バイメタル積層体
１７  操作部材
【図１】
0004736333.tif 000002
(57)【特許請求の範囲】
【請求項１】
一つの六角柱の両端の六角形の中心に、少し窪みをつけ、その六角柱の一角を頂点とし、対角にかけて長手方向４５度に切断し、互いの切断面を平行に、１８０度反転させ、接合した形の六角レンチ。
【発明の詳細な説明】
【技術分野】
【０００１】本発明は、従来の六角レンチを改良したものである。
【背景技術】
【０００２】従来、六角レンチという工具があった。【０００３】そのために、次のような問題点があった。（イ）従来のものは、二本の軸の間に曲線部があった。その為に、ハンマー等、で軸の元から、先端方向に向かって、打撃を加えたとき、その力を無駄なく、軸の先端に向けることが難しかった。（ロ）従来のものは、先端部に、窪みが無かったので、六角穴付きボルトに差し込む時に、錆びやペンキ等の不純物を逃がす所が無かった。（ハ）従来のものは、曲げ方向に対して、一組の対角が９０度の方向にあった為に、補助工具を掛けにくかった。【０００４】一つの正六角柱の両端に少し窪みをつけ、一角からその対角にかけて４５度の角度で切断したものを、切断面どうしを平行に１８０度反転させた形であり、両端に窪みをつけたこと、両軸の間に曲線部がないこと、互いの軸に対し一対の対辺が平行であること。以上を特徴とする六角レンチである。
【発明の開示】
【発明が解決しようとする課題】
【０００５】以下、本発明の実施の形態について説明する。（イ）一つの正六角形の一角を真上に置く。（ロ）真上の一角から真下の一角に向かって、４５度に切断する。製作前図参照。（ハ）切り口どうしを平行に１８０度反転させる。平面図参照。（二）この形状を、単体物として形成する。本発明は、以上のような構成で、この工具を、ボルト穴に差し込みながら、ハンマー等で叩き込めば、ボルト穴の不純物が砕け、工具がより深部に達し、外れにくく、ボルトに振動を与える事もでき、加えて、補助工具も掛かりやすい。したがって、特に、悪条件化において威力を発揮するはずである。
【図面の簡単な説明】
【０００６】
【図１】本発明の製作前図
【図２】本発明の平面図
【図３】本発明の正面図
【図４】本発明の右側面図
【符号の説明】
【０００７】  １  切断線  ２  窪み
【図１】
0004736107.tif 000002
【図２】
0004736107.tif 000003
【図３】
0004736107.tif 000004
【図４】
0004736107.tif 000005